(57)【要約】  データネットワークを介してデータフレームを送信する方法は、送信機が受信機状態から送信機状態に変化するのに必要な時間（T2）を含まないフレーム間隔（Inter Frame Space(IFS)）時間で送信機から受信機に該データフレームを送るステップを備え、それ故、十分に送信能率を向上する。
2007519294.tif 000002
【特許請求の範囲】
【請求項１】
データネットワークを介してデータフレームを送信する方法であって、フレーム間隔（Inter Frame Space(IFS)）時間で送信機から受信機に前記データフレームを送ることを含み、前記IFSは、前記送信機が受信機状態から送信機状態に変化するのに必要な時間を含まないことを特徴とする方法。
【請求項２】
前記IFSは、送信機がフレームの終了と次のフレームの開始とを検出するために必要な  時間のみを含むことを特徴とする請求項１に記載の方法。
【請求項３】
前記送信機は、non-QSTA (non QoS Enhanced Station) または QAP(QoS Enhanced Access Point) であることを特徴とする請求項２に記載の方法。
【請求項４】
前記送信機は、前記送信機が次のデータフレームを送信する前に、前記受信機からACKを受信することを要求しないことを特徴とする請求項１に記載の方法。
【請求項５】
前記送信機は、複数の前記データフレームを確認応答（acknowledge）するブロッACKのみを受信することを特徴とする請求項１に記載の方法。
【請求項６】
前記ワイヤレスデータネットワークは、ＩＥＥＥ８０２．１１プロトコルを用いることを特徴とする請求項１に記載の方法。
【請求項７】
前記ＩＥＥＥ８０２．１１は、ＩＥＥＥ８０２．１１eドラフト標準により修正されていることを特徴とする請求項６に記載の方法。
【請求項８】
送信機がデータフレームをデータネットワークを介して受信機に送信する方法であって、前記送信機が２つの連続したデータの間の時間間隔（ＩＦＳ）で前記データフレームを送信し、前記時間間隔（IFS）は、送信機が各々のデータフレームを処理するための時間のみを含むことを特徴とする方法。
【請求項９】
前記処理は、データフレームの終了と次のデータフレームの開始とを検出することを含むことを特徴とする請求項８に記載の方法。
【請求項１０】
前記時間間隔は、前記送信機が受信機状態から送信機状態に変化するのに必要とする時間を含まないことを特徴とする請求項８に記載の方法。
【請求項１１】
前記送信機は、non-QSTA (non QoS Enhanced Station) または QAP(QoS Enhanced Access Point) であることを特徴とする請求項８に記載の方法。
【請求項１２】
前記送信機は、前記送信機が次のデータフレームを送信する前に、前記受信機からACKを受信することを要求しないことを特徴とする請求項８に記載の方法。
【請求項１３】
前記送信機は、複数の前記データフレームを確認応答（acknowledge）するブロッACKのみを受信することを特徴とする請求項８に記載の方法。
【請求項１４】
前記ワイヤレスデータネットワークは、ＩＥＥＥ８０２．１１プロトコルを用いることを特徴とする請求項８に記載の方法。
【請求項１５】
前記ＩＥＥＥ８０２．１１は、ＩＥＥＥ８０２．１１eドラフト標準により修正されていることを特徴とする請求項１４に記載の方法。
【発明の詳細な説明】
【技術分野】
【０００１】
この出願は、２００３年６月１２日にファイルされた米国仮出願整理番号60/478,156、および２００３年７月１６日にファイルされた米国仮出願整理番号60/487,694に基づいて優先権を主張するものであり、すべての記述は、ここに参考のため組み入れられる。
【０００２】
本発明は、データ送信技術に関し、そしてより詳しくは、データフレームが少ないフレーム間隔（Inter Frame Space(IFS)）時間でデータネットワークを介して送信される、より能率よくデータフレームを送信するための最適化された方法に関する。
【背景技術】
【０００３】
データ送信において、AQR(自動再送要求（Automatic Retransmission Request）)プロトコルは、各々のフレームがＡＣＫ（確認応答（Acknowledge））を明記する。これは、しかしながら、送信機が、次のデータフレームを送ることができる前に、ＡＣＫを受信するために待機しなければならないので、データ送信の能率を低下させる。これは、ＭＡＣデータフレーム送信のためのＩＥＥＥ８０２．１１プロトコルを使用するワイヤレスネットワークにおいてもまた真実である。能率を向上させるために、ＩＥＥＥ８０２．１１eは、フレームが確認応答されないＮｏ ＡＣＫポリシ（policy）と、フレームが単ブロックＡＣＫフレームのグループで確認応答されるブロックＡＣＫポリシとを定義する。これらの新しいポリシは、相当に、フレームオーバヘッドを削減し、能率を向上させる。
【０００４】
さらに、ＩＥＥＥ８０２．１１eは、送信機会（(Transmission Opportunity）TXOP)の概念を導入する。この概念により、non-ＡＰ-QSTA (non access point QoS Enhanced Station) または QAP(QoS Enhanced Access Point)は、時間のための媒体を主張し、そして、一旦、それらがチャネルへのアクセスを得たら、それらは、ＴＸＯＰリミット（limit）により明記されるその時間のためにチャネルをホールドすることができ、そして、SIFS（Short IFS）であるフレーム間隔(IFS)時間で、多数のデータフレームを送信することができる。ＩＥＥＥ８０２．１１eは、ＴＸＯＰリミットの間、non-ＡＰ-QSTA /QAPがNo ACKまたはブロックＡＣＫポリシを使用してもよいことを明記している。No ACKにより、各々のフレームは、送信されるとともに、ACKは、そのフレームのために要求されない。もし、TXOPリミットが単フレーム送信時間よりも長くなるとともに、もし、多数のフレームがMAC待ち行列の送信中であれば、次のフレームはSIFS時間の後に送信され得る。同様に、ブロックSACポリシにおいて、フレームは、受信機によりACKの送信の前にフレーム間隔時間SIFSで連続的に送信される。
【発明の開示】
【発明が解決しようとする課題】
【０００５】
しかしながら、これは、non-ＡＰ-QSTA/QAPの受信が、受信機（RX）から送信機（TX）応答時間（turnaround time）のフレームパルスを処理するための時間を含む確認応答を返信する場合に限り、SIFS時間が実際に要求されるので、送信能率の観点では最適化されていない。ブロックACKポリシと同様にNo ACKの場合において、ACKフレームを送信するためのSIFS時間を受信機に待機させる必要がない後に（受信機が送信機にACKを送らなければならないブロックACKポリシの最後のフレームを除く）。
【０００６】
それ故、従来技術では、フレーム間隔（IFS）時間でデータネットワークにおけるより能率的なデータ送信をするための方法の必要性がある。
【発明を実施するための最良の形態】
【０００７】
本発明によれば、フレーム間隔（IFS）時間で送信機から受信機にデータフレームを送るステップを備える、データネットワークを介するデータフレームの送信の方法が提供される。特に、IFSは、送信機が受信機状態から送信機状態に変化するのに必要とする時間を含まない。好ましくは、IFSは、フレームの終了と次のフレームの開始とを検出するために必要な時間のみを含む。従って、送信機は、応答時間を含まないので、SIFSよりも短いIFSでデータフレームを連続的に送信してもよい。  
本発明の前述のそして他の特徴および利点は、添付図面の参照好ましい実施例の以下の詳細な記述を読むことにより、明らかになる。図１に示されたように、データフレームは、典型的に、物理層制御手順（a physical layer control procedure（PLCP））オーバヘッドおよびMACデータフレームを含む。PLCPオーバヘッドは、ＰＬＣＰプリアンブル１１とＰＬＣＰヘッダ１２とを備えている。このＰＬＣＰプリアンブル１１は、主として、時間的調節と同期機能に使用される情報を含み、ＰＬＣＰヘッダ１２は、主として、フレームの長さ、送信レートなどについての情報を含む。ＭＡＣデータフレームは、アドレス情報などを含むＭＡＣヘッダ２１部分、ＭＡＣフレームボディ部分２２、および、ＭＡＣ層のフレーム制御シーケンス（Frame Control Sequence（ＦＣＳ））として知られる、ＣＲＣ（巡回冗長検査（Cyclic Redundancy Check））を備える。
【０００８】
送信機が連続して連続的なデータフレームを受信機に送信するとき、フレーム間隔（IFS）時間は、２つの連続したフレームの送信の間で要求される。通常、このIFS時間は、ＩＥＥＥ８０２．１１eにより適応されたNo ACKおよびブロックACKポリシの下に、SIFS（Short IFS）と同じように短くてもよい。図２に示されるように、SIFSは、時間の第２の部分T2すなわち送信機が受信機状態から送信機状態に変化するための“応答時間”と同様に、送信機がデータフレームを処理するすなわちフレームの終了と次のフレームの開始とを検出するために要求される、時間の第１の部分T1を含む。このSIFS時間は、次のデータフレームを引き続き送ることができる前に、送信機が受信機からACKを受信する必要のないNo ACKおよびブロックACKポリシの下では、無駄である。
【０００９】
本発明によれば、No ACKおよびブロックACKポリシの下で、送信機は次のデータフレームを送信するSIFSを待つ必要がない。特に、ACKを直ちには必要としないフレームは、SIFSよりも短くなり得るIFSで連続的に送信される。より明確には、IFS時間は、送信機が受信機状態から送信機状態に変化するために別段に必要な応答時間T2を含む必要がなく、送信機がフレームを処理する、すなわち送信機がフレームの終了と次のフレームの開始とを検出するために必要な時間T１を含むのみである。それゆえ、データフレームは、SIFSよりもはるかに少ないフレーム間隔で送信されることができ、したがって、送信能率は相当に向上する。
【００１０】
上記が詳細に本発明の好ましい実施例を記述したにも拘わらず、本発明の精神から外れることなく、様々な変形、適用、および改善が当業者により可能であることが認識される。例えば、好ましい実施例が、ＩＥＥＥ８０２．１１eドラフト標準により修正されたＩＥＥＥ８０２．１１を使用するワイヤレスネットワークにおいて説明されているけれども、本発明はワイヤレスデータネットワーク環境に限定されないことが理解される。それ故、本発明の保護範囲は、添付する請求項により画定されるものとして意図される。
【図面の簡単な説明】
【００１１】
【図１】フレーム間のIFSでデータフレームの送信を示す図である。
【図２】IFSが先行技術において要求されるSIFSであることを示す図である。
【図１】
2007519294.tif 000003
【図２】
2007519294.tif 000004
【国際調査報告】
2007519294.tif 000005